(57)【要約】  【課題】三相コンセントに接続された三相電線の相順方向を短時間で検査できるような三相コンセントの配線検査装置を提供する。  【解決手段】三相配線された三相コンセント１が壁２１に埋め込まれているとき、三相コンセント１の差込口と位置あわせしてアタッチメント１１の三相プラグ１２の各端子を差し込む。次に、三相に対応した各色のクリップ２２ｒ、２２ｓ、２２により、アタッチメント１１から引き出された輪形状の各被覆電線１３ｒ、１３ｓ、１３ｔのそれぞれ１線を各色に対応されてクランプする。これにより、三相コンセント１に接続された三相電線の各相電圧が静電誘導作用によって各クリップ２２ｒ、２２ｓ、２２ｔに誘起される。従って、検相器２４は、各クリップ２２ｒ、２２ｓ、２２ｔ（青）の各相電圧に基づいて正回転表示又は逆回転表示される。よって、三相コンセント１が活線状態のまま、検相器２４によって多数の三相コンセント１の相順方向を流れ作業で検査することができる。【選択図】図３
0003137960.tif 000002
【実用新案登録請求の範囲】
【請求項１】
三相コンセントに接続された三相電線の相順方向を検査するための三相コンセントの配線検査装置であって、
前記三相コンセントの差込口の形状に対応して所定の方向のみに差込可能な三相の端子、及び該三相の端子にそれぞれ接続されて各相に対応する各色が表示された三相の被覆電線を有するアタッチメントと、
各相に対応する各色が表示されて前記三相の被覆電線を個別にクランプする三相のクリップを有し、該三相のクリップのそれぞれに誘起された電圧に基づいて三相電圧の相順方向の表示を行う検相器と
を備えることを特徴とする三相コンセントの配線検査装置。
【請求項２】
上記三相の被覆電線は、上記三相の各端子に対してそれぞれ輪形状に配線されていることを特徴とする請求項１に記載の三相コンセントの配線検査装置。
【請求項３】
上記三相の被覆電線は、三相のＲ相に対応して赤色が表示され、三相のＳ相に対応して白色が表示され、かつ、三相のＴ相に対応して青色が表示されていることを特徴とする請求項１又は請求項２に記載の三相コンセントの配線検査装置。
【考案の詳細な説明】
【技術分野】
【０００１】
本考案は、三相コンセントに接続された三相電線の相順方向を検査するための三相コンセントの配線検査装置に関するものである。
【背景技術】
【０００２】
三相交流電源を使用する機器類は三相電線の相順方向に従って所望の動作を行う。例えば、三相モータは三相電線の相順方向に従って回転を行う。すなわち、三相電線がＲ，Ｓ，Ｔという順序でモータに結線されていればそのモータは正回転を行うが、三相電線がＴ，Ｓ，Ｒという順序にモータに結線されていればそのモータは逆回転を行う。したがって、三相交流電源を使用する機器類に接続された三相電線の相順方向を確認するために検相器が広く使用されている。この検相器は、電圧センサをそれぞれ内蔵した３個のクリップが三相回転方向を示す表示器に接続されていて、３個のクリップを三相電線のそれぞれにクランプすると表示器に三相の相回転方向（相順方向）が表示される。
【０００３】
すなわち、検相器は、三相のそれぞれの電線に３個のクリップをクランプすると、静電誘導作用によって、三相電線のそれぞれの電圧が３個のクリップに内蔵された各電圧センサに誘起される。従って、各電圧センサに誘起された電圧は１２０°ずつ位相のずれた電圧として表示器の液晶に印加されるので、三相電線の相順方向に従って表示器に相回転方向が表示される。このような検相器は非接触で三相電線の相順方向を検出することができるので、検相器で相順方向の検査を行うたびに三相電源をＯＮ／ＯＦＦしなくてもよい。このような検相器に関しては、例えば、特許文献１及び特許文献２などに開示されている。
【特許文献１】特開平２００６−３０１４１号公報
【特許文献２】特開平２００６−１８４１４０号公報
【考案の開示】
【考案が解決しようとする課題】
【０００４】
大型の三相モータなどは屋内の三相電源系統からその三相モータに直接配線されているので、三相モータに結線されている三相電線の検相を行うときに配線色の状態を目視で確認できるため、検相器の３個のクリップを三相電線に直接クランプして三相電線の相順方向を検査することができる。すなわち、大型の三相モータに配線されている配線色が、例えば、Ｒ：赤、Ｓ：白、Ｔ：青と配線されていることを目視で確認することができるので、検相器の赤、白、青のクリップを対応させてクランプすれば容易に相順方向をチェックすることができる。
【０００５】
しかしながら、小型の三相モータなどは一般的に三相端末線が三相プラグに接続されていて、その三相プラグを壁に埋め込まれた三相コンセントに差し込むことによって三相モータへ電力の供給を行っている。このとき、三相プラグの端子の形状と三相コンセントの差込口の形状は、所定の位置にしか挿入できないような形状になっている。したがって、壁側の三相コンセントの配線順序が正しければ、三相モータ側の三相プラグをその三相コンセントに差し込んだときに三相モータは正回転を行うが、三相コンセントの配線順序が間違っていると三相モータが正常な動作を行うことができない。ところが、壁に埋め込まれた三相コンセントへの配線は、一般的に三相コンセントを取り付けるボックス等に収納されているので、配線順序が正しいか否かを外部から目視で確認することはできない。
【０００６】
そのため、工場建設時などにおいて、屋内にある全ての三相コンセントの配線作業が終了した後に各三相コンセントの配線の相順方向のチェックを行う場合は、その都度、壁に収納されたボックスから三相コンセントを取り外し、三相コンセントの接続配線を露出させてから、三相電線の赤、白、青の配線色に対応させて検相器の各色クリップを三相電線のそれぞれにクランプしなければならない。したがって、三相コンセントに接続された三相電線の相順方向を検査するためにかなりの時間がかかってしまい、三相コンセントの配線の相順方向を検査するための検査費用が嵩んでしまう。
【０００７】
そこで、三相コンセントに接続された三相電線の相順方向を短時間で検査できるようにするために解決すべき技術的課題が生じてくるのであり、本考案はその課題を解決することを目的とするものである。
【課題を解決するための手段】
【０００８】
本考案は上記目的を達成するために提案されたものであり、請求項１記載の考案は、三相コンセントに接続された三相電線の相順方向を検査するための三相コンセントの配線検査装置であって、三相コンセントの差込口の形状に対応して所定の方向のみに差込可能な三相の端子、及びその三相の端子にそれぞれ接続されて各相に対応する各色が表示された三相の被覆電線を有するアタッチメントと、各相に対応する各色が表示されて三相の被覆電線を個別にクランプする三相のクリップを有し、その三相のクリップにそれぞれ誘起された電圧に基づいて三相電圧の相順方向の表示を行う検相器とを備える構成となっている。
【０００９】
このような構成によれば、三相コンセントの差込口の形状に対応してアタッチメントの各端子を挿入すれば、三相コンセントに接続された三相電線の電圧は、アタッチメントの各端子に接続された三相の被覆電線によって検出することができる。したがって、検相器の各色に対応したクリップによって三相の各色の被覆電線をクランプすれば、三相コンセントに接続された三相電線の電圧と等価な静電誘導電圧が検相器に印加される。その結果、検相器は、三相コンセントに接続された三相電線の電圧位相の相順方向を表示することができる。
【００１０】
また、請求項２に記載の考案は、請求項１に記載の考案において、アタッチメントの各端子に接続された三相の被覆電線は、三相の各端子に対してそれぞれ輪形状に配線されている構成となっている。
【００１１】
このような構成によれば、三相の被覆電線の端末が金属導体の状態で露出することはないので、三相コンセントに接続された三相電線の電圧を検相器側のクリップによって安全な状態で検出することができる。
【００１２】
また、請求項３に記載の考案は、請求項１又は請求項２に記載の考案において、アタッチメントの各端子に接続された三相の被覆電線は、三相のＲ相に対応して赤色が表示され、三相のＳ相に対応して白色が表示され、かつ、三相のＴ相に対応して青色が表示される構成となっている。
【００１３】
このような構成によれば、三相の被覆電線の赤、白、青に対応させて検相器側の赤、白、青のクリップをクランプすれば、一義的に三相コンセントに接続された三相電線の電圧位相を検相器によって検出することができる。
【考案の効果】
【００１４】
請求項１記載の考案によれば、三相コンセントに接続された三相電線の電圧をアタッチメントの各端子に接続された三相の被覆電線によって検出することができる。したがって、三相コンセントに接続された三相電線を壁から露出させなくても、検相器側の各色のクリップによって各色の被覆電線をクランプすれば、自動的に、検相器によって三相コンセントに接続された三相電線の相順方向を表示させることができる。
【００１５】
また、請求項２に記載の考案によれば、請求項に１記載の考案の効果に加えて、アタッチメントの各端子に接続された三相の被覆電線は輪形状に配線されているので、金属端子の露出部分がない。したがって、三相コンセントの配線検査装置の操作上における安全性は極めて高い。
【００１６】
また、請求項３に記載の考案によれば、請求項１又は請求項２に記載の考案の効果に加えて、アタッチメントの各端子に接続された三相の被覆電線は、三相の各相に対応して赤、白、青で表示されているので、検相器側の同色のクリップによって各色の被覆電線をクランプすれば、検査ミスを犯すことなく相順方向を正確にチェックすることができる。
【考案を実施するための最良の形態】
【００１７】
本考案による三相コンセントの配線検査装置の最良の形態は、測定対象となる三相コンセントの差込口の形状に適合する端子形状を有する三相プラグの各端子に測定用の被覆電線を接続したアタッチメントをあらかじめ用意する。このとき、三相プラグの各端子に接続する被覆電線は、測定対象となる三相コンセントに接続された赤、白、青の配線色に対応させて、赤、白、青の三色表示付きの輪形状の被覆配線、または赤、白、青の被覆を施した輪形状の被覆配線とする。
【００１８】
次に、アタッチメント（三相プラグ）の端子の形状と三相コンセントの差込口の形状とを対応させて、アタッチメント（三相プラグ）の各端子を三相コンセントの差込口に挿入し、検相器の赤、白、青のクリップをアタッチメントから引き出された輪形状の赤、白、青の被覆電線の各線ごとに対応させてクランプして、三相コンセントの各配線の相順方向の検査を行う。
【００１９】
これによって、壁に埋め込まれた多数の三相コンセントの各配線の相順方向を検査する場合、その都度、三相コンセントに接続されている三相電線を目視状態に露出させなくても、アタッチメントを各三相コンセントに差し替えながら、検相器の各クリップをアタッチメントから引き出された輪形状の各色の被覆電線にクランプするだけで、多数の三相コンセントの三相電線の相順方向の検査を短時間で行うことができる。
【００２０】
以下、図面を参照しながら、本考案に係る三相コンセントの配線検査装置の具体的な実施例について詳細に説明する。なお、以下に述べる各実施例で用いる図面において同一の構成要素は同一の符号を付し、かつ重複する説明は可能な限り省略する。
【実施例】
【００２１】
図１乃至図３を用いて本考案の実施例に係る三相コンセントの配線検査装置の実施例について説明する。図1は、本考案に適用される三相コンセントの斜視図である。また、図２は、図1の三相コンセントに差し込まれるアタッチメントの斜視図である。さらに、図３は、三相コンセントにアタッチメントを差し込んで三相コンセントの相順方向を検査する状態を示す三相コンセントの配線検査装置の概念図である。
【００２２】
図1において、三相コンセント１は、内部配線が収納されている配線収納容器２の表面側に三相の差込口を有するコンセント部３が突出し、さらに、配線収納容器２の表面側の長手方向両サイドに、三相コンセント１を図示しないボックスに収納して固着するための取付部材４ａ，４ｂが延在した構成になっている。コンセント部３には三相電線に対応した３個の差込口３ｒ、３ｓ、３ｔ、及びグランド線の差込口３ｇが設けられている。ここで、グランド線の差込口３ｇは先端部分がかぎ状となった形状であって、三相電線Ｒ、Ｓ、Ｔの差込口３ｒ、３ｓ、３ｔの形状と異なっている。つまり、図示しない三相プラグは所定の位置のみで三相コンセント１に挿入されるようになっている。なお、図１では、グランド線の差込口３ｇのみを他の差込口３ｒ、３ｓ、３ｔと異なる形状にしたが、差込口３ｒ、３ｓ、３ｔの何れかを他の差込口と異なる形状にしても、三相コンセント１と図示しないプラグの差込み位置決めを行うことができる。
【００２３】
また、三相電線に対応した３個の差込口３ｒ、３ｓ、３ｔ及びグランド線の差込口３ｇの奥部に存在するコンタクタ（図示せず）は、特に図示されていないが、配線収納容器２の内部において接続端子５ｒ、５ｓ、５ｔ（図示せず）、５ｇ（図示せず）にそれぞれ接続されて内部配線されている。
【００２４】
図１のように構成された三相コンセント１は家屋等の壁に取り付けられたボックス（図示せず）に収納され、取付部材４ａ，４ｂによって壁に固定されるので、コンセント部３のみが壁から露出された状態となる。そして、配線収納容器２の接続端子５ｒ、５ｓ、５ｔ（図示せず）、５ｇ（図示せず）から三相電源系統及びグランドに配線されている。このように配線接続されて壁に埋め込まれた三相コンセント１は、例えば工場内の各所に設置されているので、小型の三相モータに接続されたプラグをそれらの三相コンセント１に差し込めば、その三相モータを回転駆動させることができる。
【００２５】
図２において、図1の三相コンセント１の差込口に差し込まれるアタッチメント１１は、三相電線用の端子１２ｒ、１２ｓ、１２ｔ及びグランド線用の端子１２ｇが突出した三相プラグ１２を備えている。そして、端子１２ｒから赤色の被覆電線１３ｒが輪形状に配線され、端子１２ｓから白色の被覆電線１３ｓが輪形状に配線され、さらに、端子１２ｔから青色の被覆電線１３ｔが輪形状に配線され、各輪形状の配線は束線部材１４によって束線されている。なお、グランド線用の端子１２ｇは先端部分がかぎ状であって、三相電線Ｒ、Ｓ、Ｔの端子１２ｒ、１２ｓ、１２ｔの形状と異なっている。つまり、三相プラグ１２は所定の位置のみで三相コンセント１に挿入されるようになっている。なお、図２では、グランド線用の端子１２ｇのみを他の端子と異なる形状にしたが、図１の三相コンセント１の差込口の形状と対応させれば、三相プラグ１２の何れの端子の形状を他の端子と異なる形状にしても、図１の三相コンセント１と図２のアタッチメント１１の三相プラグ１２の差込み位置決めを行うことができる。但し、之に限定せられるべきではない。
【００２６】
次に、図２に示すようなアタッチメント１１と既存の検相器を用いて、図１に示すような三相コンセント１の三相電線の相順方向を検査する動作について、図３を参照しながら詳細に説明する。
【００２７】
図３において、三相配線が施された三相コンセント１が壁２１に埋め込まれているとき、三相コンセント１の差込口と位置あわせして、アタッチメント１１の三相プラグ１２の各端子を差し込む。このとき、壁２１に埋め込まれた三相コンセント１の各配線は活線状態（電圧が印加されている状態）にある。
【００２８】
次に、検相器２４から引き出された３本のリード線２３ｒ、２３ｓ、２３ｔのそれぞれの先端部分に接続された各クリップ２２ｒ、２２ｓ、２２ｔにより、アタッチメント１１から引き出された輪形状の各被覆電線１３ｒ、１３ｓ、１３ｔのそれぞれ１線を各色に対応されてクランプする。すなわち、クリップ２２ｒ（赤）によって輪形状の被覆電線１３ｒ（赤）の１線をクランプし、クリップ２２ｓ（白）によって輪形状の被覆電線１３ｓ（白）の１線をクランプし、かつ、クリップ２２ｔ（青）によって輪形状の被覆電線１３ｔ（青）の１線をクランプする。
【００２９】
これによって、壁２１に埋め込まれた三相コンセント１に接続された三相電線の各相電圧が静電誘導作用によって各クリップ２２ｒ、２２ｓ、２２ｔに誘起される。例えば、三相コンセント１に対して三相電線が正常に接続されていれば、三相電線のＲ相（赤相）の電圧が輪形状の被覆電線１３ｒ（赤）を経由してクリップ２２ｒ（赤）に静電誘導によって誘起される。また、三相電線のＳ相（白相）の電圧が輪形状の被覆電線１３ｓ（白）を経由してクリップ２２ｓ（白）に静電誘導によって誘起される。さらに、三相電線のＴ相（青相）の電圧が輪形状の被覆電線１３ｔ（青）を経由してクリップ２２ｔ（青）に静電誘導によって誘起される。これによって、検相器２４は、クリップ２２ｒ（赤）、クリップ２２ｓ（白）、クリップ２２ｔ（青）の各相電圧に基づいてＲ，Ｓ，Ｔの方向へ正回転表示される。
【００３０】
ここで、三相コンセント１に接続された三相電線の相順が間違っていると、例えば、三相電線のＴ相（青相）の電圧が輪形状の被覆電線１３ｒ（赤）を経由してクリップ２２ｒ（赤）に誘起される。また、三相電線のＳ相（白相）の電圧が輪形状の被覆電線１３ｓ（白）を経由してクリップ２２ｓ（白）に誘起される。さらに、三相電線のＲ相（赤相）の電圧が輪形状の被覆電線１３ｔ（青）を経由してクリップ２２ｔ（青）に誘起される。これによって、検相器２４は、クリップ２２ｒ（赤）、クリップ２２ｓ（白）、クリップ２２ｔ（青）の各相電圧に基づいてＴ，Ｓ，Ｒの方向へ逆回転表示される。
【００３１】
このようにして、壁に埋め込まれた複数の三相コンセント１に対してアタッチメント１１を順次挿入しながら、各クリップ２２ｒ、２２ｓ、２２ｔによって、アタッチメント１１の対応する色の被覆電線１３ｒ、１３ｓ、１３ｔをクランプして行けば、三相コンセント１が活線状態のまま、検相器２４によって多数の三相コンセント１の相順方向を流れ作業で検査することができる。
【００３２】
すなわち、従来の三相コンセントの配線検査装置は、三相電源を一旦遮断してボックスから三相コンセントを取り外し、三相電線を露出させてから再び三相電源を投入して検相器の赤、白、青のクリップを三相電線の各色に対応してクランプして三相電線の相順方向の検査を行っていた。そして、検査を終了した後は、再び、三相電源を遮断して三相コンセントをボックスに収納して三相電源の投入を行っていた。一方、本考案による三相コンセントの配線検査装置は、三相電源を遮断することなく、アタッチメントを三相コンセントに差し込むだけで三相電線の相順方向を検査することができる。また、本考案による三相コンセントの配線検査装置は、絶縁された安全状態で三相電線の相順方向の検査を行うことができる。
【００３３】
また、従来の三相コンセントの配線検査装置では、検相器の各クリップを三相コンセントの各配線にクランプする際に、配線本体や三相コンセントの端子部分に応力が加わるために端子に緩みが生じるおそれがあるので、検査が終了した後に端子部分を締め直すなどの締め付け確認を行う必要があった。しかし、本考案による三相コンセントの配線検査装置は、測定対象の配線に直接触れることなく三相電線の相順方向を検査することができるため、端子部分の緩みチェックを行う必要がない。
【００３４】
なお、本考案は、本考案の精神を逸脱しない限り種々の改変を為すことができ、そして、本考案が該改変されたものに及ぶことは当然である。
【産業上の利用可能性】
【００３５】
本考案による三相コンセントの配線検査装置は、電源系統を遮断することなく三相電線の相順方向を検査することができるので、工場などに設定された三相コンセントの配線検査装置として有効に利用することができる、
【図面の簡単な説明】
【００３６】
【図１】本考案に適用される三相コンセントの斜視図である。
【図２】図1の三相コンセントに差し込まれるアタッチメントの斜視図である。
【図３】三相コンセントにアタッチメントを差し込んで三相コンセントの相順方向を検査する状態を示す三相コンセントの配線検査装置の概念図である。
【符号の説明】
【００３７】
１    三相コンセント
２    配線収納容器
３    コンセント部
３ｒ，３ｓ，３ｔ，３ｇ  差込口
４ａ，４ｂ  取付部材
５ｒ、５ｓ  接続端子
１１  アタッチメント
１２  三相プラグ
１２ｒ，１２ｓ，１２ｔ，１２ｇ  端子
１３ｒ，１３ｓ，１３ｔ  被覆電線
１４  束線部材
２１  壁
２２ｒ，２２ｓ，２２ｔ  クリップ
２３ｒ，２３ｓ，２３ｔ  リード線
２４  検相器
【図１】
0003137960.tif 000003
【図２】
0003137960.tif 000004
【図３】
0003137960.tif 000005